(57)【要約】【課題】蓋の脱着操作が容易で、蓋を閉じたときのクリック感が十分に得られ、然も衝撃力を受けたときにも蓋が容易に外れることのない携帯型電子機器を提供する。【解決手段】本発明に係る携帯型電子機器においては、筐体１に形成された開口１０の奥部に物品収容室が形成されると共に、該開口１０を開閉する蓋３が筐体１に取り付けられている。筐体１には、開口１０に沿う蓋３のスライドを案内するスライドガイド部が設けられると共に、開口１０を閉じたスライド終端位置にて蓋３の前方突片32を筐体１に係止する係止部６が設けられている。又、筐体１には、係止部６の近傍位置に、蓋３の角部30を裏面から受け止める庇部７が突設されている。【選択図】図３
2011119186.tif 000002
【特許請求の範囲】
【請求項１】
筐体に形成された開口の奥部に物品収容室が形成されると共に、該開口を開閉する蓋が筐体に対して脱着可能に取り付けられており、該筐体には、前記開口に沿う蓋のスライドを案内するスライドガイド部が設けられると共に、前記開口を閉じたスライド終端位置にて蓋の第１端部を筐体に係止する係止部が設けられ、前記開口を閉じたスライド終端位置の蓋を表面から押下して弾性変形させることにより、前記係止部による蓋の係止状態を解除することが可能となる携帯型電子機器において、前記筐体には、前記係止部の近傍位置に、スライド終端位置の蓋の第２端部を裏面から受け止める庇部が、前記開口へ向けて突設されていることを特徴とする携帯型電子機器。
【請求項２】
前記スライドガイド部は、スライド終端位置へ向かう蓋の両側縁が係合すべき位置に蓋のスライド方向に沿って形成されており、前記係止部は、スライド終端位置へ向かう蓋の前方縁の中央部が係合すべき位置に設けられ、前記庇部は、前記蓋の前方縁の中央部を挟んで両側の角部が係合すべき位置にそれぞれ形成されている請求項１に記載の携帯型電子機器。
【発明の詳細な説明】
【技術分野】
【０００１】
本発明は、ビデオカメラ、携帯電話機等の携帯型電子機器に関するものである。
【背景技術】
【０００２】
従来、ビデオカメラ、携帯電話機等の携帯型電子機器においては、筐体に形成された開口の奥部に電池収容室が形成されると共に、該開口を開閉する蓋が筐体に対して脱着可能に取り付けられており、電池収容室内の電池の交換が可能となっている(特許文献１)。
【０００３】
前記筐体には、前記開口に沿う蓋のスライドを案内するスライドガイド部が設けられると共に、前記開口を閉じたスライド終端位置にて蓋を筐体に係止する係止部が設けられ、前記開口を閉じたスライド終端位置の蓋を表面から押下して弾性変形させることにより、前記係止部による蓋の係止状態を解除することが可能となっている。
【先行技術文献】
【特許文献】
【０００４】
【特許文献１】特開２００８−４７４２４号公報
【発明の概要】
【発明が解決しようとする課題】
【０００５】
従来の蓋を具えた携帯型電子機器においては、筐体から蓋を取り外すときに、スライド終端位置の蓋を表面から押下して弾性変形させて係止状態を解除する方式が採用されているため、蓋が押下によって容易に弾性変形することが必要である。しかしながら、蓋の弾性変形容易性は、筐体に蓋を取り付けるべく蓋をスライド終端位置までスライドさせて、蓋を筐体に係止するときのクリック感が十分に得られないという問題を招く。
又、蓋の弾性変形容易性は、筐体に蓋を取り付けた状態で落下時等の衝撃力を受けたとき、蓋が容易に外れるという問題を招く。
【０００６】
そこで本発明の目的は、蓋の脱着操作が容易で、蓋を閉じたときのクリック感が十分に得られ、然も衝撃力を受けたときにも蓋が容易に外れることのない携帯型電子機器を提供することである。
【課題を解決するための手段】
【０００７】
本発明に係る携帯型電子機器においては、筐体に形成された開口の奥部に物品収容室が形成されると共に、該開口を開閉する蓋が筐体に対して脱着可能に取り付けられており、該筐体には、前記開口に沿う蓋のスライドを案内するスライドガイド部が設けられると共に、前記開口を閉じたスライド終端位置にて蓋の第１端部を筐体に係止する係止部が設けられ、前記開口を閉じたスライド終端位置の蓋を表面から押下して弾性変形させることにより、前記係止部による蓋の係止状態を解除することが可能となっている。
ここで、前記筐体には、前記係止部の近傍位置に、スライド終端位置の蓋の第２端部を裏面から受け止める庇部が、前記開口へ向けて突設されている。
【０００８】
具体的態様において、前記スライドガイド部は、スライド終端位置へ向かう蓋の両側縁が係合すべき位置に蓋のスライド方向に沿って形成されており、前記係止部は、スライド終端位置へ向かう蓋の前方縁の中央部(第１端部)が係合すべき位置に設けられ、前記庇部は、前記蓋の前方縁の中央部を挟んで両側の角部(第２端部)が係合すべき位置にそれぞれ形成されている。
【０００９】
本発明に係る携帯型電子機器においては、筐体に蓋を取り付ける場合、蓋の両側縁を筐体のスライドガイド部に摺接させて、蓋をスライド終端位置までスライドさせる。蓋がスライド終端位置に達すると、蓋の第１端部が筐体の係止部によって係止され、それと同時に、蓋の第２端部の裏面が筐体の庇部の表面に摺接し、蓋の第２端部が庇部によって裏面から受け止められる。この過程で、蓋の第１端部は僅かに弾性変形した後に弾性復帰するが、蓋の第２端部が筐体の庇部によって裏面から押圧されることにより、第１端部の弾性復帰が付勢されて、大きなクリック感が得られることになる。
【００１０】
この様にして蓋が筐体に取り付けられた状態では、蓋の第１端部が筐体の係止部によって係止されると共に、蓋の第２端部が筐体の庇部によって受け止められていることで、筐体の係止部による係止が外れる方向に蓋が弾性変形することに対して抵抗力が発揮される。従って、落下などによって衝撃力が加わった場合にも、容易に蓋が外れることはない。
【００１１】
筐体から蓋を取り外すときは、従来と同様に、スライド終端位置の蓋を第１端部の近傍位置にて押下する。これによって、蓋の第１端部が弾性変位して、係止部による係止状態が解除される。このとき、蓋の第２端部は筐体の庇部によって受け止められているが、蓋の第２端部は第１端部から適度に離間しているため、第１端部は、係止を解除するために必要な変位量だけ変位することになる。従って、係止を解除するために過大な力は不要である。
【発明の効果】
【００１２】
本発明に係る携帯型電子機器によれば、蓋の脱着操作が容易で、蓋を閉じたときのクリック感が十分に得られ、然も衝撃力を受けたときにも蓋が容易に外れることはない。
【図面の簡単な説明】
【００１３】
【図１】図１は、本発明の一実施態様であるビデオカメラの斜視図である。
【図２】図２は、該ビデオカメラの側面図である。
【図３】図３は、該ビデオカメラにおいて電池蓋を僅かに開いた状態を示す側面図である。
【図４】図４は、同上の斜視図である。
【図５】図５は、筐体から電池及び電池蓋を取り外した状態を示す斜視図である。
【図６】図６は、図５とは異なる方向から見た同上の斜視図である。
【図７】図７は、電池蓋の裏面を示す斜視図である。
【図８】図８は、図２のＡ−Ａ線に沿う拡大断面図である。
【図９】図９は、図２のＢ−Ｂ線に沿う拡大断面図である。
【図１０】図１０は、図２のＣ−Ｃ線に沿う拡大断面図である。
【発明を実施するための形態】
【００１４】
以下、本発明を動画及び静止画の撮影が可能なビデオカメラに実施した形態につき、図面に沿って具体的に説明する。
本発明に係る携帯型電子機器の一実施形態であるビデオカメラにおいては、図１及び図２に示す如く撮影レンズ(11)及び操作部(12)が配備された第１筐体(１)と、内面に液晶ディスプレイ(図示省略)が配備された第２筐体(２)とが、２軸ヒンジ機構(図示省略)を介して互いに開閉可能に連結されている。
【００１５】
図３及び図４に示す如く、第１筐体(１)の側部には、電池蓋(３)が脱着操作可能に取り付けられている。
第１筐体(１)の内部には、図５及び図６に示す如く電池収容室(５)が形成されており、該電池収容室(５)は直方体状の空間であって、電池蓋(３)を取り外すことによって第１筐体(１)の開口(10)から露出させることが出来る。電池収容室(５)の奥部には凹部(51)が形成され、該凹部(51)の壁面に電極部(50)が設けられている。
【００１６】
電池(４)は直方体状を呈し、前面に凸部(41)を有して、該凸部(41)の前面に端子(図示省略)が設けられている。
電池(４)を第１筐体(１)の電池収容室(５)に装填することによって、電池(４)の凸部(41)が電池収容室(５)の凹部(51)に侵入し、電池(４)の端子が電池収容室(５)の電極部(50)に接触することになる。
【００１７】
電池蓋(３)は、図７に示す様に、後端部が僅かに湾曲した平板状の蓋部(31)を有し、該蓋部(31)の前方縁の中央部には、スリット孔(32a)を有する前方突片(32)が形成され、両側縁には、側方係合片(33)(35)(37)が形成され、後方端縁には後方係合片(34)(36)が形成されている。
【００１８】
図５及び図６に示す如く、第１筐体(１)には、開口(10)の周辺に、前記電池蓋(３)の前方突片(32)が係合すべき係止部(６)と、前記電池蓋(３)の側方係合片(33)(35)(37)が摺動可能に係合すべきスライドガイド片(64)(63)(62)と、前記電池蓋(３)の後方係合片(34)(36)が係合すべき係合受け片(65)(61)が設けられている。
第１筐体(１)の係止部(６)は、図８に示す如く、電池蓋(３)の前方突片(32)のスリット孔(32a)に嵌合すべき凸部(6a)を有している。
【００１９】
更に第１筐体(１)には、図５及び図６に示す如く、係止部(６)を挟んで両側に、電池蓋(３)の前方側の両角部(30)(30)を裏面から受け止めるべき一対の庇部(７)(７)が、開口(10)へ向けて突設されている(図３及び図４参照)。
【００２０】
図３及び図４の如く第１筐体(１)の開口(10)に電池蓋(３)を被せ、該電池蓋(３)をスライド終端位置へ向けて前方へ押圧すると、電池蓋(３)は、側方係合片(33)(35)(37)が第１筐体(１)のスライドガイド片(64)(63)(62)により案内されて、開口(10)に沿って一方向にスライドする。
【００２１】
そして、図１及び図２の如く電池蓋(３)がスライド終端位置に達すると、電池蓋(３)は、前方突片(32)が第１筐体(１)の係止部(６)に係合すると同時に、後方係合片(34)(36)が第１筐体(１)の係合受け片(65)(61)に係合して、前方突片(32)と係止部(６)の係合によって第１筐体(１)に係止されると共に、係合片(34)(36)と係合受け片(65)(61)の係合によって第１筐体(１)からの浮き上がりが阻止されることになる。
【００２２】
電池蓋(３)の前方突片(32)が第１筐体(１)の係止部(６)に係合する過程では、図８に示す如く、電池蓋(３)の前方突片(32)周辺の僅かな弾性変形と弾性復帰を経て、前方突片(32)のスリット孔(32a)が係止部(６)の凸部(6a)に嵌合する。このときの電池蓋(３)の前方突片(32)周辺の弾性変形と弾性復帰によってクリック感が得られるのである。
【００２３】
上記ビデオカメラにおいては、第１筐体(１)に電池蓋(３)を取り付ける場合、電池蓋(３)がスライド終端位置に達すると、電池蓋(３)の前方突片(32)が第１筐体(１)の係止部(６)によって係止され、それと同時に、電池蓋(３)の角部(30)(30)の裏面が第１筐体(１)の庇部(７)(７)の表面に摺接し、電池蓋(３)の角部(30)(30)が庇部(７)(７)によって裏面から受け止められる。
【００２４】
この過程で生じる電池蓋(３)の前方突片(32)周辺の弾性変形と弾性復帰において、電池蓋(３)の角部(30)(30)が第１筐体(１)の庇部(７)(７)によって裏面から押圧されることにより、前方突片(32)の弾性復帰が付勢されて、より大きなクリック感が得られることになる。
【００２５】
この様にして電池蓋(３)が第１筐体(１)に取り付けられた状態では、電池蓋(３)の前方突片(32)が第１筐体(１)の係止部(６)によって係止されると共に、電池蓋(３)の角部(30)(30)が第１筐体(１)の庇部(７)(７)によって受け止められていることで、第１筐体(１)の係止部(６)による係止が外れる方向に電池蓋(３)が弾性変形することに対して抵抗力が発揮される。従って、落下などによって衝撃力が加わった場合にも、容易に電池蓋(３)が外れることはない。
【００２６】
第１筐体(１)から電池蓋(３)を取り外すときは、従来と同様に、スライド終端位置の電池蓋(３)を前方突片(32)の近傍位置にて押下する。これによって、電池蓋(３)が撓んで前方突片(32)が弾性変位し、係止部(６)による係止状態が解除される。このとき、電池蓋(３)の角部(30)(30)は第１筐体(１)の庇部(７)(７)によって受け止められているが、電池蓋(３)の角部(30)(30)は前方突片(32)から適度に離間しているため、前方突片(32)は、係止を解除するために必要な変位量だけ弾性変位することになる。従って、係止を解除するために過大な力は不要である。
【００２７】
係止が解除された状態で電池蓋(３)を後方へスライドさせれば、電池蓋(３)の後方係合片(34)(36)と第１筐体(１)の係合受け片(65)(61)との係合が解除されると共に、電池蓋(３)の側方係合片(33)(35)(37)と第１筐体(１)のスライドガイド片(64)(63)(62)との係合が解除されて、電池蓋(３)を第１筐体(１)から取り外すことが可能となる。
【００２８】
上述の如く、本発明の一実施形態であるビデオカメラによれば、電池蓋(３)の脱着操作が容易で、電池蓋(３)を閉じたときのクリック感が十分に得られ、然も衝撃力を受けたときにも電池蓋(３)が容易に外れることはない。
又、左右一対の庇部(７)(７)の間隔を調整することによって、クリック感を増減させることが出来る。
【００２９】
更に又、電池蓋(３)を取り外した状態では、第１筐体(１)の庇部(７)(７)が見えるため、電池(４)を電池収容室(５)に装填する際、ユーザは庇部(７)(７)を回避して電池(４)を斜め方向から電池収容室(５)へ挿入するように促されることになる。従って、ユーザが電池(４)を電池収容室(５)の真上から電池収容室(５)へ押し込む操作が防止され、これによって電極部(50)の保護が図られる。
【００３０】
尚、本発明の各部構成は上記実施の形態に限らず、特許請求の範囲に記載の技術的範囲内で種々の変形が可能である。例えば、本発明は、電池収容室(５)を開閉する電池蓋(３)に限らず、電池以外の種々の物品の収容室を開閉する蓋を具えた携帯型電子機器に実施することが出来る。
【符号の説明】
【００３１】
(１)  第１筐体
(10)  開口
(２)  第２筐体
(３)  電池蓋
(30)  角部
(32)  前方突片
(４)  電池
(５)  電池収容室
(６)  係止部
(７)  庇部
【図１】
2011119186.tif 000003
【図２】
2011119186.tif 000004
【図３】
2011119186.tif 000005
【図４】
2011119186.tif 000006
【図５】
2011119186.tif 000007
【図６】
2011119186.tif 000008
【図７】
2011119186.tif 000009
【図８】
2011119186.tif 000010
【図９】
2011119186.tif 000011
【図１０】
2011119186.tif 000012